(57)【要約】      （修正有）【課題】畑作業やウォーキング中等で、いつでも飲みたい時に保持具ごと簡単に腰から取り出すことができ、しかも腰に取り付けても、ペットボトルが揺動せず、ペットボトルを安定して保持し、且つ長時間使用しても腰に痛みが伴わないペットボトル用携帯保持具を提供する。【解決手段】棒状又は板状にして、飲料用ペットボトルの胴部５１の外周面５１ａで、該胴部の軸方向に沿わせて当接させる主部２１が設けられ、且つ、該主部の下端２１ａから水平方向に張出す受部２２が設けられる一方、該主部の上端２１ｂから前記受部２２が張出す側とは反対側に屈曲し、主部２１の下端方向へ延びる差込部２３が設けられた金属製又は合成樹脂製の保持具本体２と、前記ペットボトル５とその胴部５１の軸方向に沿わせて該胴部に当接させた前記主部２１とを束ねる帯状又は紐状の結束部材３と、を具備する。【選択図】図１
0003146516.tif 000002
【実用新案登録請求の範囲】
【請求項１】
棒状又は板状にして、飲料用ペットボトルの胴部の外周面で、該胴部の軸方向に沿わせて当接させる主部(21)が設けられ、且つ、該主部の下端から水平方向に張出す受部(22)が設けられる一方、該主部の上端から前記受部が張出す側とは反対側に屈曲し、該主部の下端方向へ延びる差込部(23)が設けられた金属製又は合成樹脂製の保持具本体(2)と、
前記ペットボトルとその胴部の軸方向に沿わせて該胴部に当接させた前記主部とを束ねる帯状又は紐状の結束部材(3)と、を具備することを特徴とするペットボトル用携帯保持具。
【請求項２】
前記保持具本体が金属製棒状加工品で、その縦棒部分が胴部の軸方向に二本平行に配設されて前記主部を形成し、且つ両縦棒部分の下端から水平方向に上昇傾斜し、その先端部分がペットボトル底の外面の中央域にまでに延設されて前記受部を形成する一方、両縦棒部分の上端からＵ字状又はヘアピン状に屈曲し、該縦棒部分の間に隙間を確保しながら該主部の下端方向へ延設されてコ字形枠の前記差込部を形成する請求項１記載の飲料用ペットボトル用携帯保持具。
【請求項３】
前記結束部材が、帯状の幅を有する環体にして、前記ペットボトル及びその胴部の軸方向に沿わせて該胴部に当接させた主部に外嵌し、前記ペットボトルと前記主部とを弾性復元力で締付けて束ねる弾性ゴムバンドである請求項１又は２記載のペットボトル用携帯保持具。
【請求項４】
前記結束部材が有色カラーのゴムバンドである請求項３記載のペットボトル用携帯保持具。
【考案の詳細な説明】
【技術分野】
【０００１】
本考案は飲料用ペットボトルを携帯するのに用いられるペットボトル用携帯保持具に関する。
【背景技術】
【０００２】
ペットボトルはポリエチレン・テレフタレート（ＰＥＴ）を原料に成形されたプラスチック製容器で、飲料用ペットボトルには、緑茶等のお茶系、炭酸系、野菜・果実系等のさまざまなものがある。そして、小型で、例えば５００ｍｌサイズの飲料用ペットボトルが出現し、従来の水筒のような役割を果たしながら、持ち運びが便利な商品になっている。しかし、該ペットボトルを持つ片手がふさがるため、両手を使う畑作業や工事作業等ではどこかに置かなければならなかった。飲みたい時に直ぐに取り出せる状態にして飲むという訳にはいかなかった。首や肩などにペットボトルを掛けることも考えられるが、前かがみになったりすると該ペットボトルが邪魔になった。
こうしたことから、ズボンのベルトに、ペットボトルを保持したホルダーを掛止させる発明がこれまでいくつか提案されている(例えば特許文献１、２）。
【０００３】
【特許文献１】特開２００２−１９３２６０公報
【特許文献２】実用新案登録第３１２９５１８号公報
【考案の開示】
【考案が解決しようとする課題】
【０００４】
しかるに、特許文献１、２のいずれも、ペットボトルの首部の箇所で係止固定するだけのペットボトル用携帯保持具で、次のような問題があった。まず、ペットボトルは一箇所だけの固定であり、不安定であった。畑作業や工事作業等の身体を動かす場合、ペットボトルが首部を支点に揺動し、腰をたたき、さらには作業そのものを邪魔する虞があった。畑作業等では、腰を曲げたり起こしたりする身体の動きが繰り返されるため、揺動がさらに激しく、ペットボトルで腰を打つ回数が増加する問題があった。
また、特許文献１,２ともに、開口部が弾力性で、リング状の外周の一部が分割されて、この開口部をペットボトルの首部に差し込んで保持する構造であるため、畑作業等では、開口部の弾力性に抗する以上の立ちしゃがみの動きによって、開口部からペットボトルが抜け落ちてしまう虞があった。
加えて、特許文献１の第二クリップの可動片が腰に突き当たり、腰をつかう畑作業等では特に腰が痛みを受け易くなり、これを長時間取付けたままの作業がしづらい問題もあった。
【０００５】
本考案は上記問題点を解決するもので、畑作業やウォーキング中等で、いつでも飲みたい時に保持具ごと簡単に腰から取り出すことができ、しかも腰に取り付けても、ペットボトルが揺動せず、ペットボトルを安定して保持し、且つ長時間使用しても腰に痛みが伴わないペットボトル用携帯保持具を提供することを目的とする。
【課題を解決するための手段】
【０００６】
上記目的を達成すべく、請求項１に記載の考案の要旨は、棒状又は板状にして、飲料用ペットボトルの胴部の外周面で、該胴部の軸方向に沿わせて当接させる主部(21)が設けられ、且つ、該主部の下端から水平方向に張出す受部(22)が設けられる一方、該主部の上端から前記受部が張出す側とは反対側に屈曲し、該主部の下端方向へ延びる差込部(23)が設けられた金属製又は合成樹脂製の保持具本体(2)と、前記ペットボトルとその胴部の軸方向に沿わせて該胴部に当接させた前記主部とを束ねる帯状又は紐状の結束部材(3)と、を具備することを特徴とするペットボトル用携帯保持具にある。
請求項２の考案たる飲料用ペットボトル用携帯保持具は、請求項１で、保持具本体が金属製棒状加工品で、その縦棒部分が胴部の軸方向に二本平行に配設されて前記主部を形成し、且つ両縦棒部分の下端から水平方向に上昇傾斜し、その先端部分がペットボトル底の外面の中央域にまでに延設されて前記受部を形成する一方、両縦棒部分の上端からＵ字状又はヘアピン状に屈曲し、該縦棒部分の間に隙間を確保しながら該主部の下端方向へ延設されてコ字形枠の前記差込部を形成することを特徴とする。請求項３の考案たる飲料用ペットボトル用携帯保持具は、請求項１又は２で、結束部材が、帯状の幅を有する環体にして、前記ペットボトル及びその胴部の軸方向に沿わせて該胴部に当接させた主部に外嵌し、前記ペットボトルと前記主部とを弾性復元力で締付けて束ねる弾性ゴムバンドであることを特徴とする。請求項４の考案たる飲料用ペットボトル用携帯保持具は、請求項３で、結束部材が有色カラーのゴムバンドであることを特徴とする。
【考案の効果】
【０００７】
本考案のペットボトル用携帯保持具は、腰に取り付けて、いつでも飲みたい時に保持具ごと簡単に取り出すことができ、且つ畑作業やウォーキングなどの運動をしてもペットボトルが揺動せず、ペットボトルを安定して保持し、さらに腰等に長時間取り付けていても負担にならないなど優れた効果を発揮する。
【考案を実施するための最良の形態】
【０００８】
以下、本考案に係るペットボトル用携帯保持具（以下、単に「携帯保持具」という。）について詳述する。
図１〜図７は本考案の携帯保持具の一形態で、図１はペットボトルに取着しその全体斜視図、図２は図１の携帯保持具の分解斜視図、図３は図１の部分縦断面図、図４は図１の底面図、図５は図１のペットボトルに取着した携帯保持具をズボンのバンドに取付けた斜視図、図６は図１〜図５の携帯保持具とは別態様の携帯保持具の斜視図、図７は図１〜図５の携帯保持具に係る保持具本体とは別態様提要の保持具本体の斜視図である。
【０００９】
本携帯保持具１は保持具本体２と結束部材３とを具備する(図１〜図５)。
保持具本体２は主部２１と受部２２と差込部２３を有する金属製又は合成樹脂製の成形加工品である。主部２１は、棒状又は板状にして、飲料用ペットボトル５の胴部５１の外周面５１ａで、該胴部の軸方向に沿わせて当接させる保持具本体２の主要部である。本実施形態は、保持具本体２を金属製棒状加工品２ａとし、その縦棒部分２ａ１が胴部５１の軸方向に二本平行に配設されて主部２１を形成する。直径２mmφ〜５mmφのステンレス鋼や鉄製等の一本の棒部材を曲げ成形加工により保持具本体２を形成する。主部２１の高さは１５cm程度で、５００ml用ペットボトル５の胴部５１の高さに略等しい(図１,図３)。該棒部材には塗装やビニール等に樹脂フィルム被覆が適宜施される。ここで、二本平行に配設される両縦棒部分２ａ１の間隔はペットボトル５の直径の１／４〜４／５の範囲とするのが好ましい。より好ましくは縦棒部分２ａ１の間隔はペットボトル５の直径の１／３〜２／３の範囲である。斯かる範囲にすると、保持具本体２がペットボトル５に取付けられたとき、二本の縦棒部分２ａ１の間にペットボトル胴部５１の円弧外周面５１ａが図１,図４のごとく外方に突き出す格好で適度に嵌まり、縦棒部分２ａ１に対するペットボトル胴部５１の横ズレ防止に役立つからである。
【００１０】
前記主部２１の下端２１ａからは棒状又は板状水平方向に張出す受部２２が設けられる。該受部でペットボトル５の底５０を受け支える。主部２１の下端２１ａから受部２２が水平方向に側面視レ字状のごとく角度θで上昇傾斜し(図３)、その先端部分２２１がペットボトル底５０の外面の中央域にまで延設される。両縦棒部分２ａ１の下端２１ａから二本の横棒部分が先端２２１に向けて平面視Ｖ字形に延設されて受部２２を形成する(図１,図４)。汎用ペットボトル５の底面中央部には、一般的に強度を保つべく窪み、凹部５０ａが設けられている。主部２１の下端２１ａから受部２２が水平方向に角度θで上昇傾斜する構成とし、ペットボトル底５０のこの凹部５０ａに受部２２の先端部分２２１を当接させる(図３,図４)。角度θは５°〜２５°の範囲で、より好ましくは１０°〜２０°の範囲にある。該受部でペットボトル５をしっかりと且つ確実に受け支えるためである。先端部分２２１がペットボトル底５０の凹部５０ａに当接すると、先端部分２２１からペットボトル底５０の凹部５０ａが抜け出せなくなるので、保持具本体２がペットボトル５の水平横方向の動きを止めることも可能になる。
【００１１】
また、前記主部２１の上端２１ｂから前記受部２２が張出す側とは反対側に屈曲し、該主部の下端方向に棒状又は板状の差込部２３が延設される。差込部２３が、主部２１の上端２１ｂから受部２２の在る側と反対側で側面視Ｕ字状又はヘアピン状に屈曲し、縦棒部分２ａ１の間にベルト８の厚みｔに相当する隙間εを確保しながら主部２１に沿って延設される(図３)。ここでは、両縦棒部分２ａ１の上端から屈曲し、コ字形枠になるよう延設されて差込部２３を形成する。差込部２３は、側面視で縦棒部分２ａ１とほぼ平行を保った二本の差込主要部分２３ｂと、両主要部分の下端で屈曲し互いが近づいて突き合うようになる水平部分２３ｃとを備える。水平部分の一端２ａ２と他端２ａ３が一本の棒部材の両端であり、両者を樹脂製接続短管２４に挿着一体化してコ字形枠の差込部２３を完成する。差込主要部分２３ｂの縦方向長さ（図１の上下方向長さに相当）は、縦棒部分２ａ１の約１／２である。ベルト８への取付けが容易で、また一旦取付ければ保持具本体２が外れ難くなるからである。
【００１２】
結束部材３はペットボトル５とその胴部５１の軸方向に沿わせて該胴部５１に当接させた前記主部２１とを束ねる帯状又は紐状の構成材である。本実施形態の結束部材３は、帯状の幅Ｗを有する環体にして、ペットボトル５と、その胴部５１の軸方向に沿わせ該胴部に当接させた主部２１とに外嵌し、ペットボトル５と主部２１とを弾性復元力で締付けて束ねる弾性ゴムバンド３ａとする。ここでのゴムバンド３ａの帯幅Ｗは約１cmである。ペットボトル胴部５１の上下二箇所で、該胴部５１と主部２１とを結束して両者を一体化すべく、二本のゴムバンド３ａが用意される。該ゴムバンドは、常態下の内径がペットボトル５の相当直径よりも小さな環体とする。ペットボトル５と前記主部２１とが弾性復元力で締付けて束ねられるようにするためである。ペットボトル５の胴部断面が円形である場合、その直径がそのまま相当直径になり、ペットボトル５の胴部断面が多角形である場合は、その面積に等しくした円形の直径が相当直径になる。
ゴムバンド３ａの結束部材３は、天然ゴムのもつ黄土色でもよいが、原料に色素を混ぜて着色された有色カラーのゴムバンド３ａであると、視覚的にも映え、腰のベルト８に携帯保持具１を携えてもファッション効果等が得られるようになりより好ましくなる。尚、図１〜図５中、符号５ａはボトル容器、符号５ｂはキャップ、符号５２はコーン部、符号５３はボトル首部を示す。
【００１３】
次に、前記構成部品からなる携帯保持具１の一使用要領及び作用について説明する。
まず、飲料用液体６が入った５００mlの飲料用ペットボトル５の底５０に、保持具本体２の受部２２を当ててペットボトル５を受け支え、主部２１をペットボトル胴部５１の軸方向に沿わせて胴部外周面５１ａに当接させる（図３）。このとき、受部２２の先端部分２２１がペットボトル底５０の凹部５０ａに当たるようにし、縦棒部分２ａ１が図１,図３のごとく鉛直起立するよう配設する。続いて、結束部材３たるゴムバンド３ａを手で押し広げた拡径状態にして、受部２２側からペットボトル胴部５１及び主部２１をくぐらせ、その後、図１のような所定のペットボトル胴部５１の高さに達したところで該ゴムバンドを手から離す。手を離すことによって、ペットボトル５と主部２１とがゴムバンド３ａの弾性復元力で締付けられて束ねられる(図１)。二本のゴムバンド３ａがペットボトル５と主部２１とを結束一体化する。
受部２２が両縦棒部分２ａ１の下端２１ａから水平方向に上昇傾斜し、その先端２２１が図３のようにペットボトル底５０の外面の中央域にまでに延設されると、先端部分２２１がペットボトル底５０の凹部５０ａに当接して該先端部分から凹部５０ａが抜け出なくなるので、保持具本体２がペットボトル５の水平横方向の動きを規制する。また、縦棒部分２ａ１が胴部５１の軸方向に二本平行に配設されて主部２１を形成すると、図４に示すように、二本の縦棒部分２ａ１の間にペットボトル胴部５１の外周円弧部分が入り込むので、保持具本体２に対するペットボトル５の横ズレをなくす。
結束部材３たる弾性ゴムバンド３ａは、ペットボトル５と主部２１とを弾性復元力で締付けて、両者をごく簡単に束ねることができる。ゴムバンド３ａが帯状の幅Ｗを有する環体であるので、ペットボトル５と主部２１とがより密着一体化する。
【００１４】
後は、ズボン９とベルト８との間に図５のごとく差込部２３を差し込む。図５中、符号８１はウエストバンド、符号９１はベルト通しを示す。これで、携帯保持具１を介して飲料用ペットボトル５が身体に掛止保持される。ペットボトル５に入った飲料用液体６を飲みたい時は、ペットボトル５を手で握って差し込んだ差込部２３をベルト８から抜き取れば、ペットボトル５に携帯保持具１を付けたまま簡単に吸水補給できる。飲んだ後は、ズボン９のベルト８に差込部２３をまた差し込むだけで、飲料用ペットボトル５を腰に携帯した状態になり、再び両手を使って畑作業や工事作業に取り掛かることができる。
【００１５】
携帯保持具１は、図１〜図５のものに限らず、例えば図６のような別態様品とすることもできる。図６では、保持具本体２を図１〜図５のものと同じにするが、ゴムバンド３ａに代えて、結束部材３を面状ファスナ付き布製の帯状結束材３ｂとする。結束材３ｂの基端部の縫合３１１により挿通孔３０を形成するようにして、ここに主部２１を通した後、主部２１に結束材３ｂが上下動自在に取着される取付部分３１を設ける。符号３１１は該取付部分を形成する縫目を示す。結束材３ｂの基端側外面には雌型面状ファスナ３３が設けられ、さらに、結束材３ｂの先端側内面には雄型面状ファスナ３２が設けられる。結束材３ｂの先端部分を手に持ち、ペットボトル５とその胴部５１の軸方向に沿わせて胴部外周面５１ａに当接させた主部２１とを巻回し、さらに雌型面状ファスナ３３に雄型面状ファスナ３２を重ね合わせて一体とし、ペットボトル胴部５１と主部２１とを束ねる構成である。結束材３ｂは一本にしたが、ゴムバンド３ａと同じように二本設けてもよい。
【００１６】
また、図７に図１〜図５の保持具本体２に代わる他態様品を示す。射出成形等で図７のような板状の樹脂成形品２ｂの保持具本体２とする。主部２１は、飲料用ペットボトル５の胴部５１の外周面５１ａで、該胴部の軸方向に沿わせたときに当接する面積が増えるように、横断面が胴部５１の外周面５１ａに沿う円弧面になる板部とする。受部２２は、主部２１の下端縁を底辺にしてここから水平方向に角度θで上昇傾斜し、その先端２２１がペットボトル底５０の外面の中央域にまでに延設された略二等辺三角形の板部とする。差込部２３は、主部２１の上端２１ｂから屈曲し、該主部の下端方向へ延びる舌片とする。主部２１の上端２１ｂからＵ字状(又はヘアピン状)に屈曲し、該縦棒部分２ａ１の間に隙間εを確保しながら該主部の下端方向へ舌片状の差込部２３を延設したものである。
【００１７】
このように構成した携帯保持具１は、棒状又は板状にして、主部２１の下端２１ａから水平方向に張出す受部２２でペットボトル５の底５０を受け支えると共に、飲料用ペットボトル５の胴部５１の外周面５１ａで、該胴部の軸方向に主部２１を沿わせて当接させて、該胴部と主部２１とを結束部材３で束ねるので、結束部材３とペットボトル５の一体化が容易に保たれる。
保持具本体２が、胴部５１の軸方向に沿わせて胴部外周面５１ａに当接させる主部２１と、該主部２１の下端２１ａから水平方向に張出す受部２２と、該主部２１の上端２１ｂから受部２２が張出す側とは反対側に屈曲し、主部２１の下端方向へ延びる差込部２３とを有する金属製又は合成樹脂製部材であると、シンプルな構成でありながら、携帯保持具１として優れた効果を発揮する。すなわち、主部２１の上端２１ｂから受部２２が張出す側とは反対側に屈曲し、該主部２１の下端方向へ延びる差込部２３が設けられるので、該差込部２３をズボン９のベルト８に差し込み易くなる。しかも、受部２２は飲料６が入ったペットボトル５の重みを受け支えて安定保持すると同時に、この受部２２に加わったペットボトル５の下方に向かう重力の重みを、主部２１を介して差込部２３に下方に向かう重みとして伝達するので、ズボン９とベルト８との間に差し込んだ差込部２３がしっかりと掛止保持される(図５)。その一方で、ペットボトル５を手に持ち引き上げれば差込部２３がベルト８から容易に外れるので、ペットボトル５の飲料液体を飲みたい時にいつでも腰から取り出せる。そして、結束部材３が、ペットボトル５とその胴部５１の軸方向に沿わせて該胴部に当接させた主部２１とを束ねるので、保持具本体２,結束部材３に対し、ペットボトル５が揺動しない。特許文献１,２のように揺動する虞がなく、差込部２３を腰のベルト８に差し込んで安定保持できる。また結束部材３でペットボトル胴部５１と主部２１とを束ねるので、特許文献１,２のような開口部が存在しない。作業等で立ったりしゃがんだりする動きによって、開口部の弾力性に抗してその開口を広げる外力が働き、開口部から不用意にペットボトル５が抜け落ちてしまう心配もない。しかも、図示のごとく軽量且つコンパクトで、持ち歩くのに頗る便利な携帯保持具１になっている。
【００１８】
さらに、結束部材３が環体にして、前記ペットボトル５及びその胴部５１の軸方向に沿わせて胴部外周面５１ａに当接させた主部２１に外嵌し、ペットボトル５と主部２１とを弾性復元力で締付けて束ねる弾性ゴムバンド３ａであると、ゴム弾性を生かして、ペットボトル胴部５１と保持具本体２とを簡便に結束できる。ゴムバンド３ａが帯状の幅Ｗを有すると、その帯状幅によって、ペットボトル胴部５１と保持具本体２とのゴムバンド３ａの密着域が増えるので、結束一体化が高まる。結束部材３を有色カラーのゴムバンド３ａとすれば、ファッション性,装飾効果も得られる携帯保持具１になる。
【００１９】
また、図１〜図５のごとく、保持具本体２が金属製棒状加工品２ａであると、その軽量化が一層進む。保持具本体２の縦棒部分２ａ１が胴部５１の軸方向に二本平行に配設されて主部２１を形成すると、二本の縦棒部分２ａ１の間にペットボトル５の胴部５１の円弧形膨らみが図４のごとく突き出すので、ペットボトル５が図４で横方向へ動くのを該縦棒部分２ａ１で止めることができる。さらに、主部２１(両縦棒部分２ａ１)の下端２１ａから水平方向に上昇傾斜し、その先端部分２２１がペットボトル底５０の外面の中央域にまでに延設されて受部２２を形成すると、受部２２はペットボトル５を受け支えるだけでなく、ペットボトル５の横ズレを防ぐ。汎用ペットボトル５の底面中央部には凹部５０ａが設けられており、該凹部５０ａに先端部分２２１を当てることによって、凹部５０ａの動きが先端部分２２１に規制され、ボトル底５０が受部２２と一体化する。ペットボトル５は特許文献１,２のごとく一箇所だけで保持具本体２に掛止されるのでなく、胴部５１と保持具本体２とが結束部材３で束ねられ、さらに二本の縦棒部分２ａ１でペットボトル５の横ブレをなくし、加えて、両縦棒部分２ａ１の下端２１ａから水平方向に上昇傾斜する受部２２の先端部分２２１が凹部５０ａに当接してボトル底５０の動きを規制するので、ペットボトル５は携帯保持具１とより一層一体化する。携帯保持具１を腰のベルト８等に取付ければ、ペットボトル５も該携帯保持具１を介してブラつくことなく安定保持される。畑作業や工事作業等で身体を動かしても、ペットボトル５が腰をたたいたり、作業そのものを邪魔したりすることもない。
【００２０】
加えて、両縦棒部分２ａ１の上端からＵ字状(又はヘアピン状)に屈曲し、該縦棒部分２ａ１の間に隙間εを確保しながら該主部の下端方向へ延設されてコ字形枠の差込部２３を形成するので、差込部２３を簡単に腰のズボン９とベルト８との間に差込み、ペットボトル５付き携帯保持具１を腰へ簡単に取付けることができる。差込部２３をコ字形枠や図７のような舌片形状とすると、特許文献１のクリップと違って、腰に差込部２３が食い込むことがないので、差込部２３をベルト８等に差し込んだまま身体を動かしても痛みを受けることがない。ペットボトル５付き携帯保持具１を腰に取付けたまま長時間作業ができる。
さらにいえば、図１〜図５のように保持具本体が、一本の棒部材を曲げ成形加工して、その両端を短管２４に挿着一体化して作製されると、見栄えが良く、且つ差込部２３を腰のズボン９とベルト８との間に差込んだとき、短管２４が抜け落ち防止の安全ストッパになる。
上述のごとく、本携帯保持具１は数々の優れた効果を発揮し極めて有益である。
【００２１】
尚、本考案においては前記実施形態に示すものに限られず、目的,用途に応じて本考案の範囲で種々変更できる。携帯保持具１,保持具本体２,主部２１,受部２２,差込部２３,結束部材３,ペットボトル５等の形状,大きさ,個数,材質等は用途に合わせて適宜選択できる。
【図面の簡単な説明】
【００２２】
【図１】本考案の携帯保持具の一形態で、ペットボトルに取着しその全体斜視図である。
【図２】図１の携帯保持具の分解斜視図である。
【図３】図１の部分縦断面図である。
【図４】図１の底面図である。
【図５】図１のペットボトルに取着した携帯保持具をズボンのバンドに取付けた斜視図である。
【図６】図１〜図５の携帯保持具とは別態様の携帯保持具の斜視図
【図７】図１〜図５の携帯保持具に係る保持具本体とは別態様提要の保持具本体の斜視図である。
【符号の説明】
【００２３】
１            携帯用保持具（ペットボトル用携帯保持具）
２            保持具本体
２ａ１          縦棒部分
２１          主部
２１ａ        下端
２１ｂ        上端
２２          受部
２３          差込部
３            結束部材
３ａ          ゴムバンド
５            ペットボトル
５１          胴部（ペットボトルの胴部）
５１ａ        外周面
Ｗ            帯状の幅（帯幅）
【図１】
0003146516.tif 000003
【図２】
0003146516.tif 000004
【図３】
0003146516.tif 000005
【図４】
0003146516.tif 000006
【図５】
0003146516.tif 000007
【図６】
0003146516.tif 000008
【図７】
0003146516.tif 000009